(57)【要約】【課題】  ビル、マンション等の建造物に配線される光ファイバケーブルの配線作業量を軽減し、配線コストを低減することのできる光ブランチケーブル、およびその配線方法を提供する。【解決手段】  ３２心の光ファイバ心線からなる幹線ケーブル３の一端末を電源盤１に接続し、他端末を分岐部５に接続する。インドアケーブル４の一端末を情報分電盤２に接続し、他端末を分岐部５に接続する。該分岐部５において、幹線ケーブル３の端末の光ファイバ心線は光ファイバに分岐され、この分岐された光ファイバとインドアケーブル４の光ファイバは接続される。また、幹線ケーブル３とインドアケーブル４は、それぞれ必要な条長に長さが予め調整され、作成される。【選択図】      図１
2006301319.tif 000002
【特許請求の範囲】
【請求項１】
光ファイバを有する多心の光ファイバ心線からなる幹線ケーブルと、
多数のインドアケーブルと、
前記幹線ケーブルの端末が接続され、その幹線ケーブルの端末から分岐された前記光ファイバと前記インドアケーブルの光ファイバとが接続されている分岐部とから構成され、
前記幹線ケーブルとインドアケーブルは、それぞれ必要な条長に長さが調整され、作成されていることを特徴とする光ブランチケーブル。
【請求項２】
前記幹線ケーブルの必要な条長は、前記分岐部が建造物内に設けられる予定の場所とその建造物内に設けられる電源盤との距離に対応する長さであり、
前記インドアケーブルの必要な条長は、前記分岐部が前記建造物内に設けられる予定の場所とその建造物内の各戸に設けられる電源盤との距離に対応する長さであることを特徴とする請求項１に記載の光ブランチケーブル。
【請求項３】
前記分岐部における前記幹線ケーブルの端末から分岐された光ファイバと前記インドアケーブルの光ファイバとの接続は、融着接続であることを特徴とする請求項１又は２に記載の光ブランチケーブル。
【請求項４】
請求項１，２又は３に記載の光ブランチケーブルを予め工場で製造する工程と、
前記光ブランチケーブルを布設する建造物に運搬し、その建造物内の各階および各戸に対応するように設ける工程と
からなることを特徴とする光ブランチケーブルの配線方法。
【発明の詳細な説明】
【技術分野】
【０００１】
本発明は、光ブランチケーブル、およびその配線方法に関する。
【背景技術】
【０００２】
従来、マンション等のビルにおいて、各階の多数の各戸に光ファイバケーブル（インドアケーブル）を配線する場合には、図７に示されるような方法が用いられていた。この図７に図示された方法は、マンション等のビルの地階に位置する主電源盤（ＭＤＦ：Ｍａｉｎ  Ｄｉｓｔｒｉｂｕｔｉｎｇ  Ｆｒａｍｅ）の光パッチパネル１００から、光ファイバケーブル（インドアケーブル）５００を各戸の情報分電盤２００やメディアコンバータ等まで布設するものであったため、戸数と同数の多数の光ファイバケーブル（インドアケーブル）を布設する必要があり、配線コストが高くなっていた。  
そのため、マンション等のビルにおいて光ファイバケーブル（インドアケーブル）を布設する配線方法には、配線コストを安くすることができるものが望まれ、種々の方法が提案されている（例えば、特許文献１参照）。
【０００３】
この特許文献１に示されている光通信幹線ケーブルは、図８に示されるケーブル構成になっている。この光通信幹線ケーブル１１０は、４心テープ光心線１３１（図９参照）を２０個設けたテープスロット型光通信幹線ケーブル本体１０３と、この４心テープ光心線１３１に接続された５個の分岐部１０４と、この分岐部１０４を開閉可能に覆うことができる５個の分岐ケース本体１０７とで構成されている。なお、各分岐部１０４には、ＭＴコネクタ１０８がそれぞれ設けられている。このＭＴコネクタ１０８は、後述する配線工事現場に設置されるＦＯ（Ｆａｎｏｕｔ）ケーブル１０５の端末部に設けられるＭＴコネクタ（図示省略）と接続されるようになっている。  
特許文献１の光通信幹線ケーブル１１０は、建造物の垂直方向に延びるケーブル、すなわち幹線ケーブル単独のものとして現場での配線に合うように製造されている。
【特許文献１】特開２００１−１４７３５８号公報（第２〜３頁  第３，５，９，１０図）
【発明の開示】
【発明が解決しようとする課題】
【０００４】
特許文献１に記載の光通信幹線ケーブル１１０は、図１０に図示するように、オフィスビル等の建物１２０に設置された後、各階に設置されたＦＯ（Ｆａｎｏｕｔ）ケーブル１０５と光配線ボックス１２５を介して各戸への配線作業が必要とされる。たとえば、図１１に示すように、先ず、光通信幹線ケーブル１１０の分岐部１０４のＭＴコネクタ１０８と各階に設けられたＦＯケーブル１０５の一端部に設けられたＭＴコネクタ１０９との接続作業が行われる。次に、このＦＯケーブル１０５の他端部に設けられたＳＣコネクタ１２６と光配線ボックス１２５に設けられたＳＣコネクタ１２７との接続作業がさらに行われる。また、この特許文献１には光配線ボックス１２５から各戸へ配線される光ファイバケーブルが記載されていないが、配線工事現場では、この光ファイバケーブルの配線作業もさらに必要とされる。
【０００５】
このように、特許文献１の光通信幹線ケーブル１１０を用いてオフィスビル等の建物１２０の建物内の各戸へ光ファイバを配線する場合には、分岐部１０４での分岐作業や、その後の光ファイバケケーブルを接続する作業がビル、マンション等の配線工事現場で新たに必要とされ、配線作業量の負担が大きく、配線コストが高くなるという問題点を有している。
【０００６】
本発明の目的は、ビル、マンション等の建造物に配線される光ファイバケーブルの配線作業量を軽減し、配線コストを低減することのできる光ブランチケーブル、およびその配線方法を提供することにある。
【課題を解決するための手段】
【０００７】
請求項１に記載の光ブランチケーブルは、光ファイバを有する多心の光ファイバ心線からなる幹線ケーブルと、多数のインドアケーブルと、前記幹線ケーブルの端末が接続され、その幹線ケーブルの端末から分岐された前記光ファイバと前記インドアケーブルの光ファイバとが接続されている分岐部とから構成され、前記幹線ケーブルとインドアケーブルは、それぞれ必要な条長に長さが調整され、作成されていることを特徴とする。
【０００８】
請求項２に記載の光ブランチケーブルは、前記幹線ケーブルの必要な条長は、前記分岐部が建造物内に設けられる予定の場所とその建造物内に設けられる電源盤との距離に対応する長さであり、前記インドアケーブルの必要な条長は、前記分岐部が前記建造物内に設けられる予定の場所とその建造物内の各戸に設けられる電源盤との距離に対応する長さで構成されていることを特徴とする。  
請求項３に記載の光ブランチケーブルは、前記分岐部における前記幹線ケーブルの端末から分岐された光ファイバと前記インドアケーブルの光ファイバとの接続が、融着接続であることを特徴とする。
【０００９】
請求項４に記載の光ブランチケーブルの配線方法は、請求項１，２又は３に記載の光ブランチケーブルを予め工場で製造する工程と、前記光ブランチケーブルを布設する建造物に運搬し、その建造物内の各階および各戸に対応するように設ける工程とから構成されていることを特徴とする。
【発明の効果】
【００１０】
請求項１に記載の発明によれば、幹線ケーブルの端末に分岐部が設けられ、また布設される幹線ケーブルとインドアケーブルの条長が予め調整されているため、配線工事現場で幹線ケーブルとインドアケーブルの切断・分岐作業や接続作業が新たに必要とされない。したがって、光ファイバケーブルの配線作業量を軽減し、配線コストを低減することができる。
【００１１】
請求項２に記載の発明によれば、布設される幹線ケーブルとインドアケーブルの条長は配線距離に対応した長さに予め調整されているため、配線工事現場で幹線ケーブルとインドアケーブルの切断・分岐作業や接続作業を新たに行なうことが避けられるので、光ファイバケーブルの配線作業量を軽減し、配線コストを低減することができる。  
さらに、請求項３に記載の発明によれば、幹線ケーブルの光ファイバとインドアケーブルの光ファイバが比較的に作業容易な融着接続によって接続されているため、接続コストの低減と分岐部の寸法縮小を図ることができる。
【００１２】
また、請求項４に記載の発明によれば、新設又は既設の建造物において光ブランチケーブルが布設・配線される際に、布設される幹線ケーブルとインドアケーブルの長さが予め工場内で必要条長に調整され、製造されているため、光ファイバケーブルの配線作業量を軽減し、配線コストを低減することができる。
【発明を実施するための最良の形態】
【００１３】
本発明は、光ファイバを有する多心の光ファイバ心線からなる幹線ケーブルと、多数のインドアケーブルと、幹線ケーブルの端末が接続され、その幹線ケーブルの端末から分岐された光ファイバとインドアケーブルの光ファイバとが接続されている分岐部とから構成され、幹線ケーブルとインドアケーブルの条長が、それぞれ所定の長さに調整され、予め工場内で光ブランチケーブルとして製造される。そして、この光ブランチケーブルは、布設される建造物に運搬され、その建造物内の対応する階および戸に配線されることによって実現される。
【実施例】
【００１４】
以下、本発明に係る光ブランチケーブルの配線方法の一実施例について、詳しく説明する。  
図１には、本発明に係る光ブランチケーブルの一実施例が模式図的に示されている。この図１において、（ａ）には本発明に係る光ブランチケーブルがマンションに配線される方法が、（ｂ）には本発明に係る光ブランチケーブルの構成が模式図的に示されている。
【００１５】
図１の（ａ）に図示されているマンション２０は、階数６階、各階８戸である。このマンション２０には、光ブランチケーブル１０が３本（１０ａ，１０ｂ，１０ｃ）配線されている。これらの光ブランチケーブル１０ａ，１０ｂ，１０ｃは、予め工場内で製造されてマンション２０に運搬された後、マンション２０の電源盤１と各戸の情報分電盤２の間に配線されている。この光ブランチケーブル１０は、図１の（ｂ）に示めされているように、幹線ケーブル３と、インドアケーブル４と、分岐部５とから構成されている。幹線ケーブル３には、各戸への配線に対応できる心数の光ファイバを有する多心の光ファイバ心線（後述する）が備えられている。幹線ケーブル３の一端末は電源盤１に接続され、他端末は分岐部５に接続されている。このような幹線ケーブル３の端末に接続されている分岐部５は、幹線ケーブル３の多心の光ファイバ心線（後述する）が光ファイバに分岐され、この分岐された光ファイバとインドアケーブル４の光ファイバが後述する融着接続によって接続されている。インドアケーブル４は、後述する２心光ファイバ心線を有しており、各戸に配線されている。このインドアケーブル４は、インドアケーブル４の一端末が分岐部５に接続され、他端末は各戸の情報分電盤２に接続されている。ここで、インドアケーブル４は、戸数に応じた分だけその数が準備されていればよい。
【００１６】
このように構成される光ブランチケーブル１０は、幹線ケーブル３に用いられる光ファイバ心線の心数、分岐用のインドアケーブル４の数量、幹線ケーブル３の条長、インドアケーブル４の各戸毎に配線される各条長等に基づいて工場内で製造されている。
【００１７】
この点について、図１（ａ）に図示された光ブランチケーブル１０ａを例に挙げて詳しく説明する。光ブランチケーブル１０ａは、電源盤１に接続した後幹線ケーブル３ａを引き上げ、分岐部５ａがマンション２０の５階と６階の中間位置又は６階位置に固定され、ここから分岐用のインドアケーブル４ａが６階と５階の各戸に配線されている。この場合、各階当たりの戸数は８戸であり、各戸には１本のインドアケーブル４ａ（１本の２心光ファイバ心線）が配信されるので各階当たりの総心数は１６心となる。したがって、マンション２０の５階と６階に配信される幹線ケーブル３ａの総心数は３２心となる。また、各階に配線されるインドアケーブル４ａは各階当たり８本であるので、マンション２０の５階と６階に配線される総数は１６本で総心数は３２心となる。すなわち、幹線ケーブル３ａの総心数はインドアケーブル４ａの総心数と同じ３２心が必要になる。また、幹線ケーブル３ａの条長は、幹線ケーブル３ａの一端末が電源盤１に接続され、他端末に分岐部５ａが設けられるため、電源盤１から上記位置までの距離に対応した長さに調整される必要がある。一方、インドアケーブル４ａは、インドアケーブル４ａの一端末が分岐部５ａに接続し、他端末が各戸の情報分電盤２に接続しているため、６階位置に固定される分岐部５ａから５階および６階の各戸までの距離に対応した長さにそれぞれ調整される必要がある。
【００１８】
光ブランチケーブル１０は、幹線ケーブル３の総心数および必要条長と、インドアケーブル４の総本数および各インドアケーブル４の必要条長と分岐部５の配置とを考慮して、予め工場内で製造されている。そのため、マンション等の建造物における布設に伴う配線工事は、配線工事現場でケーブルの切断・分岐作業や接続作業が新たに必要とされないので、ビル、マンション等の建造物に配線される光ファイバケーブルの配線作業量は軽減され、配線コストも低減される。なお、本実施例の光ブランチケーブル１０の構造及び配線方法は、マンション２０を例にして説明したが、マンション２０に限らず光ファイバケーブルが布設される新設又は既設の家屋、ビル等の建造物に対し、何ら問題なく使用することができる。また、本実施例の光ブランチケーブル１０は、幹線ケーブル３とインドアケーブル４の必要条長が予め調整されて製造され、かつ幹線ケーブル３の端末に分岐部５が設けられるため、本実施例のマンション２０の高さに限らず光ファイバケーブルが布設される新設又は既設の家屋、ビル等の建造物の高さに対し、何ら問題なく容易に対応することができる。
【００１９】
次に、この光ブランチケーブル１０に用いられる幹線ケーブル３を詳しく説明する。図２には、幹線ケーブル３の構成が示されている。この図２において、幹線ケーブル３は、３２心の光ファイバ心線３１と、光ファイバ心線３１を挟むように配置されているテンションメンバ３２と、光ファイバ心線３１とテンションメンバ３２とを一括被覆するシース３３とから構成されている。
【００２０】
光ファイバ心線３１は、４本の分割型８心ファイバ心線３４を有し、計３２本の光ファイバ３６とからなるインドア型の多心ケーブルが用いられているため、多心であっても幹線ケーブル３の外径を細くすることができるという利点を有している。ここで、光ファイバ心線３１にインドア型の多心ケーブルを用いる理由としては、スロットを用いるスロットケーブルと比べて、ケーブルの外径を細くすることができ、既設の高層マンションなどケーブルの管路が狭い場合でも容易に布設することができるからである。テンションメンバ３２は、布設光ファイバケーブルを布設するときの張力によって光ファイバ心線３１に過大な伸びが生じないように、光ファイバケーブルの伸びを制限し、坑張力体ともいわれる。このテンションメンバ３２には、鋼やＦＲＰ（ガラス繊維強化プラスチック）などが用いられる。シース３３には、ポリエチレン（ＰＥ）、ポリ塩化ビニル（ＰＶＣ）、難燃性ポリエチレンなどの熱可塑性樹脂が用いられる。
【００２１】
このように構成される幹線ケーブル３は、布設されるマンション等の建造物における配線距離に対応した長さに基づいて、予め工場内で製造されるようになっている。従って、配線工事現場ではケーブルの切断・分岐作業や接続作業が新たに行われることはない。なお、本実施例では、幹線ケーブル３には、３２心の光ファイバ心線３１が用いられているが、必ずしもこれに限られるものではなく、１６心の光ファイバ心線や３２心を超える光ファイバ心線が用いられていてもよい。ただし、３２心を超える場合には、ケーブルの曲げ特性や側圧特性等の機械的特性を充分に確保するために、スロットケーブル等の多心に有利なケーブル構造を用いるのがより好ましい。
【００２２】
次に、この光ブランチケーブル１０に用いられるインドアケーブル４を詳しく説明する。図３には、インドアケーブル４の構成が示されている。この図３において、インドアケーブル４は、１本の光ファイバ心線４１と、光ファイバ心線４１を挟むように配置されているテンションメンバ４２と、光ファイバ心線４１とテンションメンバ４２とを一括被覆するシース４３とから構成されている。
【００２３】
このインドアケーブル４の光ファイバ心線４１（２本の光ファイバ４４）は、分岐部５で幹線ケーブル３の端末から分岐された４本の光ファイバ３６と接続されている。テンションメンバ３２は、布設光ファイバケーブルを布設するときの張力によって光ファイバ心線４１に過大な伸びが生じないように、光ファイバケーブルの伸びを制限し、坑張力体ともいわれる。このテンションメンバ４２には、鋼やＦＲＰ（ガラス繊維強化プラスチック）などが用いられる。また、シース４３には、ポリエチレン（ＰＥ）、ポリ塩化ビニル（ＰＶＣ）、難燃性ポリエチレンなどの熱可塑性樹脂が用いられる。
【００２４】
このように構成されるインドアケーブル４は、布設されるマンション等の建造物における配線距離に対応した長さに基づいて、予め工場内で製造されるようになっている。従って、配線工事現場ではケーブルの切断・分岐作業や接続作業が新たに行われることはない。
【００２５】
次に、この光ブランチケーブル１０の幹線ケーブル３の端末に設けられ、幹線ケーブル３とインドアケーブル４とを接続する分岐部５を詳しく説明する。分岐部５は、幹線ケーブル３の光ファイバ３６とインドアケーブル４の光ファイバ４４との接続部分を保護する専用の小型分岐箱である。この分岐部５は、図４〜図６に構成が示されている。図４には、分岐部本体５１と、下端面盤６０と、上端面盤７０と、分岐部本体５１を覆う蓋（図示省略）とから構成される分岐部５が示されている。また、図５（ａ）には、分岐部５の下端面盤６０の正面図、図５（ｂ）には、分岐部５の下端面盤６０の側面図、図５（ｃ）には、分岐部５の下端面盤６０の背面図が示されている。また、図６（ａ）には、分岐部５の上端面盤７０の背面図、図６（ｂ）には、分岐部５の上端面盤７０の側面図、図６（ｃ）には、分岐部５の上端面盤７０の正面図が示されている。
【００２６】
図４に示すように、分岐部本体５１は、ターンガイド部５２，５２と、融着スリーブ固定部５３，５３と、ネジ固定部５５，５５、５５とから構成されている。ターンガイド部５２は、幹線ケーブル３の端末から分岐される光ファイバ３６、またはインドアケーブル４の光ファイバ４４の余長を曲げ加工するとき、光ファイバが折れないようにするためのガイドである。融着スリーブ固定部５３は、後述する方法で接続された幹線ケーブル３の光ファイバ３６とインドアケーブル４の光ファイバ４４の接続部が挿入された融着スリーブ５４の固定部である。ネジ固定部５５は、このネジ固定部５５に挿着されたネジによって上記蓋（図示省略）と分岐部本体５１を固定する。
【００２７】
また、図５（ａ）の正面図に示すように、下端面盤６０の端面６１には、幹線ケーブル３が挿入される挿入口６２とインドアケーブル４が挿入される挿入口６３，６３，６３，６３が設けられている。一方、図５（ｃ）の背面図に示すように、下端面盤６０の分岐部本体５１に挿入される端面６４には、幹線ケーブル３の出口６５と、インドアケーブル４の出口６６，６６，６６，６６と、幹線ケーブル３の端末から分岐されたテンションメンバ３２を係止する６７，６７と、ケーブル固定クリップ６８，６８，６８，６８が設けられている。
【００２８】
また、図６（ａ）の背面図に示すように、上端面盤７０の分岐部本体５１に挿入される端面７１には、インドアケーブル４の出口７２，７２，７２，７２と、ケーブル固定クリップ７３，７３，７３，７３が設けられている。一方、図６（ｃ）の正面図に示すように、上端面盤７０の端面７４には、インドアケーブル４が分岐部本体５１に挿入される挿入口７５，７５，７５，７５が設けられている。
【００２９】
このようにして、幹線ケーブル３とインドアケーブル４は、下端面盤６０と上端面盤７０に設けられた各挿入口からそれぞれ挿入され、融着スリーブ５４を用いて接続された後に分岐部本体５１の融着スリーブ固定部５３に固定される。幹線ケーブル３の一端末から分岐された光ファイバ３６とインドアケーブル４の光ファイバ４４の接続と固定は、以下の手順で行われる。
【００３０】
先ず、１本の幹線ケーブル３と１６本のインドアケーブル４が下端面盤６０と上端面盤７０に設けられている挿入口から通線され、固定される。具体的には、１本の幹線ケーブル３は下端面盤６０の挿入口６２に挿入され、１６本のインドアケーブル４は２本１組として下端面盤６０の４箇所の挿入口６３，６３，６３，６３に計８本挿入される。そして、残り８本のインドアケーブル４は２本１組として上端面盤７０の４箇所の挿入口７５，７５，７５，７５に挿入される。
【００３１】
次に、これらケーブルが挿入された下端面盤６０と上端面盤７０が分岐部本体５１に嵌め込まれる。そして、挿入口６２から挿入された幹線ケーブル３の３２心光ファイバ心線３１は端末から分割型８心光ファイバ心線３４の中の４心光ファイバ心線３５（計４本の光ファイバ３６）ごとに分けられ、この分けられた４心光ファイバ心線３５は融着機（図示省略）によって挿入口７５から挿入されたインドアケーブル４の２心光ファイバ心線４１の２本（計４本の光ファイバ４４）にそれぞれ融着接続される。この場合、４心光ファイバ心線３５と２心光ファイバ心線４１の余長は、光ファイバ３６、または光ファイバ４４の折損を防ぐため、ターンガイド部５２を用いて曲げ径が直径３０ｍｍ以下にならないように工夫されている。
【００３２】
そして、融着接続された光ファイバは融着スリーブ５４に挿入される。この融着スリーブ５４は分岐部本体５１の融着スリーブ固定部５３に差し込まれ、固定される。ここで、幹線ケーブル３の端末から分けられた光ファイバ３６とインドアケーブル４の光ファイバ５４の接続を融着接続としたのは、この接続が融着機によって予め工場内で行われるため、コネクタ接続と比べて、接続コストの低減と分岐部５の寸法の縮小が図れるからである。
【００３３】
最後に、上記蓋（図示省略）が分岐部本体５１に被せられる。そして、固定用ネジが上記蓋を介して分岐部本体５１のネジ固定部５５に挿着され、このネジを締めて、分岐部本体５１に上記蓋（図示省略）が固定される
このように、必要条長に調整された幹線ケーブルと、必要条長に調整されたインドアケーブルと、幹線ケーブルの端末が接続されている分岐部とから構成される光ブランチケーブルは、予め工場内で製造されるため、配線工事現場でケーブルの切断・分岐や接続などの配線作業が新たに必要とされないので、配線工事現場における配線作業を軽減し、配線コストを低減することができる。
【００３４】
次に、本実施例に係る光ブランチケーブルが使用された配線方法を説明する。
【００３５】
図１の（ａ）に図示されているマンション２０には、光ブランチケーブル１０が３本（１０ａ，１０ｂ，１０ｃ）配線される。これらの光ブランチケーブル１０ａ，１０ｂ，１０ｃは、予め工場内で製造されてマンション２０に運搬された後、配線されている。この光ブランチケーブル１０の配線方法について、図１の（ａ）に図示された光ブランチケーブル１０ａを主に用いて説明する。
【００３６】
この光ブランチケーブル１０の配線において、先ず、１本目の光ブランチケーブル１０ａが電源盤１に接続され、そして引き上げられる。この光ブランチケーブル１０ａの分岐部５ａは６階の位置で固定され、ここから分岐ケーブルのインドアケーブル４ａが５階と６階の各戸に配線される。光ブランチケーブル１０ａの幹線ケーブル３ａは、一端末が電源盤１に接続され、他端末が６階の分岐部５ａに接続されている。また、インドアケーブル４ａは、一端末が６階の分岐部５ａに接続され、他端末が５階と６階の各戸の情報分電盤２に接続されている。ここで、光ブランチケーブル１０ａの幹線ケーブル３ａと分岐ケーブルのインドアケーブル４ａは、前述したように必要条長の長さに予め工場内で調整されてケーブル製造されている。そのため、このマンション２０の配線現場において、光ブランチケーブル１０ａの分岐部５ａが所定の配置位置に配線され、固定されると、幹線ケーブル３ａとインドアケーブル４ａには、ケーブルを切断し、接続するなどの新たな配線作業が加わることはない。
【００３７】
なお、光ブランチケーブル１０ａの固定は、張力支持ワイヤを用いずに、分岐部５ａのみで固定されているが、幹線シャフト内のラダーラック（図示省略）にケーブルをインシュロック（図示省略）で固定する方法を採用してもよい。また、光ブランチケーブル１０ａの固定は、ラックがない場合には、ワイヤネット（図示省略）による中間引上げ治具で固定する方法を採用してもよい。
【００３８】
次に、２本目の光ブランチケーブル１０ｂが、１本目の光ブランチケーブル１０ａと同様に配線される。すなわち、２本目の光ブランチケーブル１０ｂは、電源盤１に接続され、ここから上方に引き上げられ、光ブランチケーブル１０ｂの分岐部５ｂは４階の所定位置で固定され、ここから分岐ケーブルのインドアケーブル４ｂが３階と４階の各戸に配線される。
【００３９】
そして最後に、３本目の光ブランチケーブル１０ｃが、１本目の光ブランチケーブル１０ａと同様に配線される。すなわち、３本目の光ブランチケーブル１０ｃは、電源盤１に接続され、ここから引き上げられ、光ブランチケーブル１０ｃの分岐部５ｃは２階の所定位置で固定され、ここから分岐ケーブルのインドアケーブル４ｃが１階と２階の各戸に配線される。
【００４０】
なお、光ブランチケーブル１０が建造物の内部に配線される順番は、本実施例に限られるものではなく、布設されるビル、マンション等の建造物にとって配線作業が都合よくできる方法であれば、配線の順番を変更してもよい。
【００４１】
このように、マンション等の建造物内の配線用ケーブルの配線工事現場において、たとえば図８に図示された従来の光通信幹線ケーブル１１０では、光ファイバケーブルの配線接続作業が新たに必要とされるのに対し、本願発明の光ブランチケーブルを用いた配線方法では、光ファイバケーブルの切断作業や接続作業などが新たに必要とされないため、配線工事現場での配線作業が軽減され、配線コストを低減することができる。
【図面の簡単な説明】
【００４２】
【図１】本発明に係る光ブランチケーブルの一実施例を示した図であり、（ａ）はマンションにおける光ブランチケーブルの配線方法を模式図的に示した図、（ｂ）は光ブランチケーブルの構成を模式図的に示した図である。
【図２】本発明に係る光ブランチケーブルの幹線ケーブルの構成を示す断面図である。
【図３】本発明に係る光ブランチケーブルのインドアケーブルの構成を示す断面図である。
【図４】本発明に係る光ブランチケーブルの分岐部における幹線ケーブルとインドアケーブルの接続を示した説明図である。
【図５】本発明に係る光ブランチケーブルの分岐部の下端面盤を示した図であり、（ａ）は正面図、（ｂ）は側面図、（ｃ）は背面図である。
【図６】本発明に係る光ブランチケーブルの分岐部の上端面盤を示した図であり、（ａ）は背面図、（ｂ）は側面図、（ｃ）は正面図である。
【図７】従来の光ファイバケーブルの配線方法を模式図的に示した概念図である。
【図８】従来の光通信幹線ケーブルの説明図である。
【図９】従来の光通信幹線ケーブル本体の説明図である。
【図１０】従来のＦＯケーブルの配線工程の全体説明図である。
【図１１】従来のＦＯケーブルの配線工程の要部詳細説明図である。
【符号の説明】
【００４３】
１………電源盤
２………情報分電盤
３………幹線ケーブル
４………インドアケーブル
５………分岐部
１０……光ブランチケーブル
２０……マンション
５１……分岐部本体
５２……ターンガイド部
５３……融着スリーブ固定部
６０……分岐部下端面盤
７０……分岐部上端面盤
【図１】
2006301319.tif 000003
【図２】
2006301319.tif 000004
【図３】
2006301319.tif 000005
【図４】
2006301319.tif 000006
【図５】
2006301319.tif 000007
【図６】
2006301319.tif 000008
【図７】
2006301319.tif 000009
【図８】
2006301319.tif 000010
【図９】
2006301319.tif 000011
【図１０】
2006301319.tif 000012
【図１１】
2006301319.tif 000013